(57)【要約】【課題】比較的簡単にキャビティ全体に過不足なく樹脂を行き渡らせることができる射出プレス成形方法を提供することを課題とする。【解決手段】射出プレス成形方法は、複数の型４、５の型面４０、５０によりキャビティ６を区画し、キャビティ６内に型面間距離Ｄ３の短い狭部６１と、狭部６１よりも型面間距離Ｄ４の長い広部６２と、を配置する型配置工程と、キャビティ６内に樹脂７を注入し、狭部６１および広部６２における樹脂７の流動速度がそれぞれ異なることにより、樹脂７をキャビティ６全体形状の略相似形状に流動させる樹脂注入工程と、キャビティ６を圧縮し、略相似形状に流動させた樹脂７を圧縮圧力によりキャビティ６全体に行き渡らせるプレス工程と、を有することを特徴とする。【選択図】  図３
2004358884.tif 000002
【特許請求の範囲】
【請求項１】
複数の型の型面によりキャビティを区画し、該キャビティ内に型面間距離の短い狭部と、該狭部よりも型面間距離の長い広部と、を配置する型配置工程と、
該キャビティ内に樹脂を注入し、該狭部および該広部における該樹脂の流動速度がそれぞれ異なることにより、該樹脂を該キャビティ全体形状の略相似形状に流動させる樹脂注入工程と、
該キャビティを圧縮し、略相似形状に流動させた該樹脂を圧縮圧力により該キャビティ全体に行き渡らせるプレス工程と、
を有する射出プレス成形方法。
【請求項２】
前記狭部は、突条部と、該突条部に対向して配置され該突条部に型対称な溝部と、の間に形成されており、
前記プレス工程において、前記キャビティを圧縮することにより、該狭部の型面間距離と前記広部の型面間距離との較差は、小さくなるように設定されている請求項１に記載の射出プレス成形方法。
【請求項３】
前記狭部の延在方向と、前記プレス工程における圧縮方向と、の交角は、５°以上５５°以下に設定されている請求項２に記載の射出プレス成形方法。
【請求項４】
前記狭部の型面間距離は、前記樹脂注入工程において前記樹脂を堰き止められるように設定されている請求項１に記載の射出プレス成形方法。
【発明の詳細な説明】
【０００１】
【発明の属する技術分野】
本発明は、例えば燃料タンクなどの製造に用いられる射出プレス成形方法に関する。
【０００２】
【従来の技術】
例えば燃料タンクなどの樹脂成形品は、射出プレス成形方法により製造される。射出プレス成形方法は、型配置工程と樹脂注入工程とプレス工程とを有する。図７に、燃料タンク製造時における型配置工程および樹脂注入工程の概要図を示す。図に示すように、型配置工程においては、可動上型１００と固定下型１０１とを上下に対向するように配置する。このとき、分割面ＰＬを少し開いておく。そして、両型の型面間にキャビティ１０２を形成する。キャビティ１０２は、燃料タンクの下分割体と同じ形状を呈している。
【０００３】
樹脂注入工程においては、キャビティ１０２内に溶融状態の樹脂１０４を注入する。樹脂１０４は、固定下型１０１ほぼ中央に開設されたゲート１０３から、キャビティ１０２内に注入される。樹脂１０４は、ゲート１０３を中心とするほぼ同心円状に、キャビティ１０２内に広がる。
【０００４】
図８に、燃料タンク製造時におけるプレス工程の概要図を示す。図に示すように、プレス工程においては、可動上型１００を下降させ型締めを行う。型締めにより、キャビティ１０２は圧縮される。この圧縮圧力により、前工程においてほぼ同心円状に広がった樹脂１０４は、キャビティ１０２全体に行き渡る。
【０００５】
その後、型冷却、脱型を経て燃料タンク下分割体が製造される。燃料タンク下分割体は、同様の方法で製造された燃料タンク上分割体と、熱溶着される。このようにして、燃料タンクが完成する。
【０００６】
【特許文献１】
特開平８−２５８１００号公報
【０００７】
【発明が解決しようとする課題】
しかしながら、上記製造方法によると、樹脂注入工程において、樹脂がゲートを中心とするほぼ同心円状に広がってしまう。図９に、樹脂注入工程に用いる下型の斜視図を示す。なお、図７と対応する部位については同じ符号で示す。図に示すように、樹脂注入工程において、樹脂１０４はゲート１０３を中心とするほぼ同心円状に広がっている。樹脂１０４は、後工程であるプレス工程において、キャビティ１０２全体に行き渡る。
【０００８】
ところが、樹脂成形品である燃料タンク下分割体すなわちキャビティ１０２は、上面が開口する直方体箱状を呈している。すなわち、同心円状の樹脂１０４とキャビティ全体形状とは、相似ではない。したがって、樹脂１０４端部からキャビティ１０２端部までの距離（以下、「到達距離」と称す。）が短い部分Ｌ１と、到達距離が長い部分Ｌ２と、が混在することになる。
【０００９】
到達距離が短い部分Ｌ１のキャビティ１０２端部においては、プレス工程において、樹脂１０４が過剰に供給される。一方、到達距離が長い部分Ｌ２のキャビティ１０２端部においては、プレス工程において、樹脂１０４が充分に行き渡らないおそれがある。このため、成形後の樹脂成形品に成形不良が発生するおそれがある。また、成形精度が悪いため、形状が複雑な樹脂成形品の製造に不利である。
【００１０】
この問題を回避するため、特許文献１には、型面からキャビティ内にピンを出し入れすることにより、樹脂の流動を制御する射出成形方法が紹介されている。しかしながら、同文献記載の射出成形方法によると、型面に出し入れ可能にピンを配置する必要がある。このため、型の構造が複雑化する。また、キャビティ内が高圧になるプレス工程において、ピンとピン孔との隙間を介して、キャビティから樹脂が漏出するおそれがある。また、同文献記載の射出成形方法によると、ピンの出し入れを制御する制御装置が別途必要になる。このため、型費ひいては樹脂成形品の製造コストが高騰化するおそれがある。
【００１１】
本発明の射出プレス成形方法は、上記課題に鑑みて完成されたものである。したがって、本発明は、比較的簡単にキャビティ全体に過不足なく樹脂を行き渡らせることができる射出プレス成形方法を提供することを目的とする。
【００１２】
【課題を解決するための手段】
（１）上記課題を解決するため、本発明の射出プレス成形方法は、複数の型の型面によりキャビティを区画し、該キャビティ内に型面間距離の短い狭部と、該狭部よりも型面間距離の長い広部と、を配置する型配置工程と、該キャビティ内に樹脂を注入し、該狭部および該広部における該樹脂の流動速度がそれぞれ異なることにより、該樹脂を該キャビティ全体形状の略相似形状に流動させる樹脂注入工程と、該キャビティを圧縮し、略相似形状に流動させた該樹脂を圧縮圧力により該キャビティ全体に行き渡らせるプレス工程と、を有することを特徴とする。
【００１３】
本発明の射出プレス成形方法は、型配置工程と樹脂注入工程とプレス工程とを有する。型配置工程においては、複数の型を仮型締めすることにより、型面間にキャビティを区画する。キャビティには、狭部と広部とが配置されている。広部の型面間距離は、狭部の型面間距離よりも、長く設定されている。
【００１４】
樹脂注入工程においては、キャビティ内に溶融状態の樹脂が注入される。狭部における樹脂の流動抵抗は大きい。また、狭部においては、樹脂の容積に対する型面の表面積が比較的広い。したがって、樹脂が型面に熱を奪われやすい。すなわち、樹脂が固化しやすい。これらの理由から、狭部における樹脂の流動速度は遅い。
【００１５】
これに対し、広部における樹脂の流動抵抗は小さい。また、広部においては、樹脂の容積に対する型面の面積が比較的狭い。したがって、樹脂が型面に熱を奪われにくい。すなわち、樹脂が固化しにくい。これらの理由から、広部における樹脂の流動速度は速い。本工程においては、この狭部と広部とにおける樹脂の流動速度の較差を利用して、樹脂をキャビティ全体形状の略相似形状となるようにキャビティ内に流動させる。
【００１６】
プレス工程においては、キャビティを圧縮する。そして、前工程において略相似形状に流動させた該樹脂を、キャビティ圧縮圧力によりキャビティ全体に行き渡らせる。
【００１７】
本発明の射出プレス成形方法によると、樹脂注入工程終了後における樹脂の形状が、キャビティ全体形状すなわち樹脂成形品形状の略相似形状となっている。このため、プレス工程において、樹脂を過不足なくキャビティ全体に行き渡らせることができる。したがって、成形不良が発生しにくい。また、成形精度が良好であるため、形状が複雑な樹脂成形品であっても簡単に製造することができる。また、樹脂注入工程において発生しがちなウェルドを、プレス工程における樹脂再流動により除去することができる。この点においても成形不良が発生しにくい。
【００１８】
また、本発明の射出プレス成形方法によると、キャビティ内にピンなどを出し入れすることなく、比較的簡単に、樹脂を過不足なくキャビティ全体に行き渡らせることができる。
【００１９】
（２）好ましくは、前記狭部は、突条部と、該突条部に対向して配置され該突条部に型対称な溝部と、の間に形成されており、前記プレス工程において、前記キャビティを圧縮することにより、該狭部の型面間距離と前記広部の型面間距離との較差は、小さくなるように設定されている構成とする方がよい。
【００２０】
狭部の型面間距離と広部の型面間距離との較差は、そのまま肉厚の不均一さとなって樹脂成形品に発現する。この点、本構成によると、プレス工程において、狭部の型面間距離と広部の型面間距離との較差が、小さくなるように設定されている。したがって、樹脂成形品における肉厚の不均一さを抑制することができる。
【００２１】
以下、その作用について具体的に例を挙げて説明する。図１０に、突条部と溝部との配置状態の一例を拡大して示す。図中実線で示すのは、樹脂注入工程における突条部と溝部との配置状態である。一方、図中一点鎖線で示すのは、プレス工程における突条部と溝部との配置状態である。
【００２２】
突条部２０５は、固定下型２０１の型面から、キャビティ２０２内に向かって突設されている。一方、溝部２０６は、可動上型２００の型面から陥没して形成されている。突条部２０５と溝部２０６との間には、狭部２０３が形成されている。また、固定下型２０１型面と可動上型２００型面との間には、広部２０４が形成されている。
【００２３】
プレス工程において、プレス幅Ｄだけ可動上型２００が下降すると、広部２０４の型面間距離Ｄ２は、プレス幅Ｄだけ狭くなる。これに対し、狭部２０３の型面間距離Ｄ１は、圧縮方向と、狭部２０３の延在方向と、の交角をαとすると、Ｄｓｉｎαだけ狭くなる。
【００２４】
すなわち、プレス工程においてキャビティ２０２が圧縮された場合、広部２０４の型面間距離Ｄ２の短縮幅よりも、狭部２０３の型面間距離Ｄ１の短縮幅の方が小さくなる。このため、プレス工程における型面間距離Ｄ２と型面間距離Ｄ１との較差は、樹脂注入工程における型面間距離Ｄ２と型面間距離Ｄ１との較差よりも、小さくなる。したがって、本構成によると、樹脂成形品の肉厚が不均一になるのを抑制することができる。
【００２５】
（３）好ましくは、上記（２）の構成において、前記狭部の延在方向と、前記プレス工程における圧縮方向と、の交角は、５°以上５５°以下に設定されている構成とする方がよい。
【００２６】
つまり、本構成は、前出図１０において、交角αを３０°±２５°以内に設定するものである。ここで、交角αを５°以上としたのは、交角αが５°未満の場合、圧縮方向と狭部２０３延在方向とがほぼ平行になってしまうからである。言い換えると、狭部２０３と広部２０４とがほぼ直角をなすように配置されてしまうからである。このため、プレス工程における樹脂の流動抵抗が大きくなるからである。そして、樹脂がキャビティ全体に行き渡らなくなるおそれがあるからである。
【００２７】
一方、交角αを５５°以下としたのは、交角αが５５°を超える場合、狭部２０３の型面間距離Ｄ１の短縮幅Ｄｓｉｎαと、広部２０４の型面間距離Ｄ２の短縮幅Ｄと、が近接するからである。
【００２８】
すなわち、樹脂注入工程においては、樹脂をキャビティ全体形状の略相似形状に流動させる必要がある。このため、樹脂の流動制御が容易である方が好ましい。したがって、狭部２０３の型面間距離Ｄ１と広部２０４の型面間距離Ｄ２との較差は大きい方が好ましい。これに対し、プレス工程においては、樹脂成形品の肉厚が不均一になるのを抑制する必要がある。このため、狭部２０３の型面間距離Ｄ１と広部２０４の型面間距離Ｄ２との較差は小さい方が好ましい。つまり、樹脂注入工程においては型面間距離Ｄ１と型面間距離Ｄ２との較差が大きく、かつプレス工程においては型面間距離Ｄ１と型面間距離Ｄ２との較差が小さく、というように型面間距離を設定したい。
【００２９】
ところが、交角αを５５°を超え、型面間距離Ｄ１の短縮幅Ｄｓｉｎαと、型面間距離Ｄ２の短縮幅Ｄと、が近接する場合、プレス工程における型面間距離Ｄ１と型面間距離Ｄ２とが同様に短縮されてしまう。このため、上記設定を行うのが困難になる。このような理由から、交角αを５５°以下とした。
【００３０】
（４）好ましくは、前記狭部の型面間距離は、前記樹脂注入工程において前記樹脂を堰き止められるように設定されている構成とする方がよい。つまり、本構成は、樹脂注入工程において、狭部により樹脂を完全に堰き止められるように、狭部の型面間距離を設定するものである。本構成によると、樹脂注入工程において、狭部を超えて樹脂が流動するおそれがない。したがって、樹脂をキャビティ全体形状の略相似形状に流動させやすくなる。すなわち、樹脂の流動を、より制御しやすくなる。
【００３１】
【発明の実施の形態】
以下、本発明の射出プレス成形方法の実施の形態について説明する。本実施形態は、本発明の射出プレス成形方法を燃料タンクの製造方法として具現化したものである。
【００３２】
まず、本実施形態の製造方法により作製された燃料タンクの構成について説明する。図１に、燃料タンクの部分透過図を示す。図に示すように、燃料タンク１は、上分割体２と下分割体３とからなる。上分割体２は、樹脂製であって下方に開口する直方体箱状を呈している。一方、下分割体３は、樹脂製であって上方に開口する直方体箱状を呈している。下分割体３と上分割体２とは、互いの開口縁同士が熱溶着されることにより一体化されている。下分割体３の底壁内面からは、断面三角形状のリブ３０が突設されている。リブ３０は、合計二列配置されている。二列のリブ３０は、急斜面３００同士が向かい合うように、ほぼ平行に配置されている。
【００３３】
次に、本実施形態の製造方法を工程ごとに説明する。本実施形態の製造方法は、型配置工程と樹脂注入工程とプレス工程とを有する。まず、型配置工程について説明する。図２に、型配置工程および樹脂注入工程の概要図を示す。図に示すように、型配置工程においては、可動上型４と固定下型５とを上下に対向するように配置し、仮型締めを行う。可動上型４は、金属製であって直方体凸状を呈している。可動上型４の型面４０には、断面三角形状の溝部４１が凹設されている。溝部４１は、後述するキャビティ６の長手方向とほぼ平行に、合計二列配置されている。固定下型５は、金属製であって直方体凹状を呈している。固定下型５内には、所定の間隔をおいて可動上型４が挿入されている。このとき、分割面ＰＬは少し開かれている。固定下型５の型面５０からは、断面三角形状の突条部５１が突設されている。突条部５１は、ほぼ平行に合計二列配置されている。二列の突条部５１の中央には、ゲート６０が開設されている。ゲート６０は、射出成形機（図略）と連通している。図３に、図２中の円Ａ内の拡大図を示す。図に示すように、突条部５１と溝部４１とは、上下方向に対向している。突条部５１と溝部４１とにより、前出図１の下分割体３のリブ３０が形成される。これら突条部５１の急斜面５１０と溝部４１の急斜面４１０との間には、狭部６１が区画されている。また、突条部５１が突設されている型面５０と、溝部４１が凹設されている型面４０と、の間には、広部６２が区画されている。狭部６１の型面間距離（急斜面４１０と急斜面５１０との間の距離）Ｄ３は、広部６２の型面間距離（型面４０と型面５０との間の距離）Ｄ４よりも、短く設定されている。具体的には、型面間距離Ｄ３は、後工程である樹脂注入工程において、樹脂を堰き止められる上限の距離（以下、「限界距離」と称す。）以下に設定されている。図２に戻って、可動上型４の型面４０と固定下型５の型面５０との間には、キャビティ６が区画されている。キャビティ６は、前出図１の下分割体３と同じ形状を呈している。
【００３４】
次に、樹脂注入工程について説明する。本工程においては、射出成形機から、ゲート６０を介して、キャビティ６内に溶融状態の樹脂７を注入する。注入された樹脂７は、初めゲート６０を中心にほぼ同心円状に拡散していく。すなわち、広部６２を同心円状に拡散していく。しかしながら、広部６２の両端には、二列の狭部６１が配置されている。そして、これらの狭部６１の型面間距離Ｄ３は、限界距離以下に設定されている。このため、狭部６１における樹脂７の流動抵抗は大きい。また、狭部６１における樹脂７の容積に対して、急斜面４１０および急斜面５１０の表面積は比較的広い。したがって、樹脂７が急斜面４１０および急斜面５１０に熱を奪われやすい。すなわち、樹脂７が固化しやすい。これらの理由から、狭部６１における樹脂７の流動速度は遅い。このため、図３に示すように、樹脂７は狭部６１において完全に堰き止められてしまう。図４に、樹脂注入工程に用いる下型の斜視図を示す。図に示すように、突条部５１（すなわち狭部）が配置されている方向に流動する樹脂７は、狭部６１により堰き止められる。これに対し、狭部６１が配置されていない方向に流動する樹脂７は、堰き止められない。したがって、本工程終了後において、樹脂７は、キャビティ６全体形状と略相似形状になる。
【００３５】
次に、プレス工程について説明する。図５に、プレス工程の概要図を示す。また、図６に、図５中の円Ｂ内の拡大図を示す。図に示すように、プレス工程においては、可動上型４を下降させ完全型締めを行う。型締めにより、キャビティ６は圧縮される。この圧縮圧力により、狭部６１の型面間距離Ｄ３と、広部６２の型面間距離Ｄ４とは、ほぼ同距離となる。そして、前工程において狭部６１で堰き止められていた樹脂７は、図６中白抜き矢印で示すように流動し、キャビティ６全体に行き渡る。
【００３６】
その後、型冷却、脱型を経て前出図１の下分割体３が製造される。下分割体３は、同じく射出プレス成形で製造された上分割体２と、熱溶着される。このようにして、燃料タンク１が完成する。
【００３７】
次に、本実施形態の製造方法の効果について説明する。本実施形態の製造方法によると、キャビティ６に、狭部６１と広部６２とが配置されている。そして、樹脂注入工程において、広部６２の型面間距離Ｄ４は、狭部６１の型面間距離Ｄ３よりも、長く設定されている。このため、樹脂注入工程において、樹脂７をキャビティ６全体形状の略相似形状となるように流動させることができる。したがって、前出図４におけるＬ３到達距離とＬ４到達距離とは、ほぼ一致する。このため、後工程であるプレス工程において、樹脂７を過不足なくキャビティ６全体に行き渡らせることができる。
【００３８】
また、本実施形態の製造方法によると、キャビティ６内にピンなどを出し入れすることなく、比較的簡単に、樹脂７を過不足なくキャビティ６全体に行き渡らせることができる。
【００３９】
また、本実施形態の製造方法によると、樹脂注入工程における狭部６１の型面間距離Ｄ３は、限界距離以下に設定されている。このため、樹脂注入工程において、狭部６１で樹脂７を完全に堰き止めることができる。したがって、樹脂７をキャビティ６全体形状の略相似形状に流動させやすくなる。
【００４０】
また、本実施形態の製造方法によると、狭部６１は、突条部５１と溝部４１との間に形成されている。このため、狭部６１を比較的簡単に配置することができる。
【００４１】
また、本実施形態の製造方法によると、プレス工程において、狭部６１の型面間距離Ｄ３と広部６２の型面間距離Ｄ４との較差が、ほぼゼロになるように設定されている（前出図３、図６参照）。このため、燃料タンク１の下分割体３の肉厚が、ほぼ均一となる。すなわち、狭部６１を満たす樹脂７が、下分割体３において、薄肉部として固化するおそれがない。したがって、燃料タンク１に要求される機械的強度、耐燃料透過性などの特性を、充分に確保することができる。
【００４２】
また、本実施形態の製造方法によると、狭部６１の延在方向と、プレス工程における圧縮方向と、の交角β（前出図３、図６参照）が、３０°に設定されている。このため、プレス工程における樹脂７の流動性は良好である。また、樹脂注入工程においては型面間距離Ｄ３と型面間距離Ｄ４との較差を大きく設定することができる。並びに、プレス工程においては型面間距離Ｄ３と型面間距離Ｄ４との較差をほぼゼロにすることができる。
【００４３】
以上、本発明の射出プレス成形方法の実施の形態について説明した。しかしながら、実施の形態は上記形態に特に限定されるものではない。当業者が行いうる種々の変形的形態、改良的形態で実施することも可能である。
【００４４】
例えば、上記実施形態においては、可動上型４に溝部４１を配置した。また、固定下型５に突条部５１を配置した。しかしながら、この配置は逆であってもよい。また、可動上型４に溝部と突条部とを配置し、固定下型５にも突条部と溝部とを配置してもよい。そして、可動上型４の溝部と固定下型５の突条部とを対向させてもよい。並びに、可動上型４の突条部と固定下型５の溝部とを対向させてもよい。また、上記実施形態においては、可動上型４と固定下型５という二つの型を配置したが、型数は特に限定しない。
【００４５】
また、上記実施形態においては、溝部４１と突条部５１とを、ともに断面三角形としたが、溝部４１と突条部５１とは型対称形状でなくてもよい。また、断面形状は、三角形でなくてもよい。例えば、四角形、五角形などの多角形、あるいは円形、楕円形などであってもよい。
【００４６】
また、上記実施形態の樹脂注入工程においては、狭部６１で樹脂７を完全に堰き止めたが、同工程で樹脂７を完全に堰き止めなくてもよい。樹脂７の流動を狭部６１で抑制できればよい。
【００４７】
また、上記実施形態においては、下分割体３を本発明の射出プレス成形方法により製造したが、上分割体２を本発明の射出プレス成形方法で製造してもよい。また、本発明の射出プレス成形方法は、例示した燃料タンクの製造方法に限らず、例えば、ドアトリム、ダッシュボード、メータパネル、カーエアコン用ダンパ、エアダクトなどの自動車関連部材、パソコン用筐体、パソコン用ディスクトレーなどの製造方法として具現化することもできる。特に、高い成形精度が要求され、かつ肉厚の均一性が要求されるような樹脂成形品に有利である。
【００４８】
また、上記実施形態においては、型面間距離Ｄ３を限界距離以下に設定した。しかしながら、限界距離を超えるように型面間距離Ｄ３を設定してもよい。なお、限界距離は、使用する樹脂の種類、樹脂温度、樹脂注入工程における注入圧力、注入時間、型の熱伝達係数、狭部の樹脂流動方向全長などから決定される。
【００４９】
【発明の効果】
本発明の射出プレス成形方法によると、比較的簡単にキャビティ全体に過不足なく樹脂を行き渡らせることができる。
【図面の簡単な説明】
【図１】本発明の一実施形態の製造方法により製造された燃料タンクの部分透過図である。
【図２】本発明の一実施形態の製造方法における型配置工程および樹脂注入工程の概要図である。
【図３】図２中の円Ａ内の拡大図である。
【図４】本発明の一実施形態の製造方法の樹脂注入工程に用いる下型の斜視図である。
【図５】本発明の一実施形態の製造方法におけるプレス工程の概要図である。
【図６】図５中の円Ｂ内の拡大図である。
【図７】従来の燃料タンク製造時における型配置工程および樹脂注入工程の概要図である。
【図８】従来の燃料タンク製造時におけるプレス工程の概要図である。
【図９】従来の燃料タンク製造方法の樹脂注入工程に用いる下型の斜視図である。
【図１０】本発明の射出プレス成形方法における突条部と溝部との配置状態の一例を示す拡大図である。
【符号の説明】
１：燃料タンク、２：上分割体、３：下分割体、３０：リブ、３００：急斜面、４：可動上型、４０：型面、４１：溝部、４１０：急斜面、５：固定下型、５０：型面、５１：突条部、５１０：急斜面、６：キャビティ、６０：ゲート、６１：狭部、６２：広部、７：樹脂。
【図１】
2004358884.tif 000003
【図２】
2004358884.tif 000004
【図３】
2004358884.tif 000005
【図４】
2004358884.tif 000006
【図５】
2004358884.tif 000007
【図６】
2004358884.tif 000008
【図７】
2004358884.tif 000009
【図８】
2004358884.tif 000010
【図９】
2004358884.tif 000011
【図１０】
2004358884.tif 000012